(57)【要約】【課題】  ２種以上の異なる出力電圧の定電圧レギュレータ群の電源投入順序を自由に設定する。【解決手段】  電池電圧検出部のタイミングを基準とし、内蔵クロックジェネレータのクロックを参照して制御回路においてカウントを開始する。カウント値と各ＥＥＰＲＯＭに設定された値とが一致したタイミングで各電源を投入する。内蔵されたＥＥＰＲＯＭへの設定は、ＬＳＩテスト時に所望の値をテストインターフェイス経由で書き換える。【選択図】  図２
2006204013.tif 000002
【特許請求の範囲】
【請求項１】
複数の電圧を出力する電源装置であって、
複数のレギュレータに通電する順序を制御する制御手段と、
各レギュレータが通電されるタイミングを指定する指定手段と、
クロック信号を供給する供給手段とを、
有することを特徴とする電源投入順序制御装置。
【請求項２】
前記指定手段はレギュレータの通電タイミングを入力する入力手段と、入力された前記通電タイミングを格納する格納手段を更に有することを特徴とする請求項１に記載の電源投入順序制御装置。
【請求項３】
前記制御手段は前記クロック信号と前記通電タイミングとを入力とし、前記通電タイミングに従い、レギュレータに通電することを特徴とする請求項２に記載の電源投入順序制御装置。
【請求項４】
複数のレギュレータを有し、複数の電圧を出力する電源装置において、
入力電圧が所定の値を超えるとクロック信号のカウントを開始し、
前記クロック信号がある通電タイミングまでカウントされると、前記通電タイミングに対応するレギュレータに通電することを特徴とする電源投入順序制御方法。
【請求項５】
前記通電タイミングは記憶部に保持され、前記記憶部に接続された入力部から書き込まれることを特徴とする請求項４に記載の電源投入順序制御方法。
【請求項６】
複数のレギュレータを有し、複数の電圧を出力する電源装置に、
入力電圧がある値を超えるとクロック信号のカウントを開始し、
前記クロック信号がある通電タイミングまでカウントされると、前記通電タイミングに対応するレギュレータに通電する処理を実行させることを特徴とする電源投入順序制御プログラム。
【請求項７】
前記通電タイミングは記憶部に保持され、前記記憶部に接続された入力部から書き込まれることを特徴とする請求項６に記載の電源投入順序制御プログラム。
【発明の詳細な説明】
【技術分野】
【０００１】
本発明は複数の電圧を出力する電源装置であって、特に電圧の出力順序を制御する電源投入順序制御装置、方法及びプログラムに関する。
【背景技術】
【０００２】
従来の電源ＬＳＩ（２）と負荷デバイス（３、４）の接続図を図１に示す。携帯電話装置に代表される携帯機器などでは機能の複雑化により電源ＬＳＩ（２）には複数の電圧を出力する機能（２１、２２、２３、２４）が要求されている。これらの電源は複数の負荷デバイス（３、４）用の電源として使用されるが、負荷デバイス（３、４）毎に電源の投入順序に対して細かい制限がある。
【０００３】
この制限を満足する為に従来では電源ＬＳＩ内部にカウンタや遅延回路（２６）を設け、それぞれの負荷デバイス（３、４）の電源投入順序を満足させる様に、電源ＬＳＩ（２）の仕様を決定していた。
【０００４】
電源の投入順序は電源ＬＳＩ（２）の仕様の検討段階で決定されるが、電源ＬＳＩの仕様を検討している時期と、装置に組み込む時期では時間的なズレがある。この為想定していた負荷デバイス（３、４）と異なるデバイスが使用されたり、負荷デバイス（３、４）側の仕様が変更されたり、仕様が不明確であったりすることにより、電源ＬＳＩ（２）の検討段階で決定した電源投入順序が、装置としてみた時に最適な投入順序ではなくなっていると云う齟齬が生じる可能性があった。
【０００５】
本発明の技術に関係する特許文献として、特許文献１を挙げる。特許文献１では複数の直流電源の遅延時間を自由に設定することを目的としているが、具体的な設定方法については言及がない。実際に電源部をＬＳＩ化しようとすると遅延時間の設定はＲＯＭかピンで行うことになる。遅延時間の設定をＲＯＭに持たせる場合には、遅延時間を変更する際にＬＳＩの改定をしなければならず、マスクの改版が必要になる。ピンで実現するばあいには、設定時間の数を増やそうとすればするほどピンの数が増大してしまう。
【特許文献１】特開２００２−９９３３２号公報
【発明の開示】
【発明が解決しようとする課題】
【０００６】
即ち従来の問題点は、電源ＬＳＩの電源投入順序は電源ＬＳＩ内蔵のカウンタや遅延回路により構成されるが、これらを変更する際にＬＳＩのマスクの改版が必要となる点である。これは電源投入順序がプログラマブルになっていないことに起因する。
上記問題点に鑑み、本発明は、電源ＬＳＩの電源投入順序を自由に変更することのできる電源装置を提供することを目的とする。
【課題を解決するための手段】
【０００７】
本発明の電源ＬＳＩは複数のレギュレータに通電する順序を制御する手段と、各レギュレータが通電されるタイミングを指定する手段と、通電するタイミングをカウントする基準となるクロック信号を供給する手段とを有することを特徴とする。
【０００８】
また電源ＬＳＩは記憶装置であるＥＥＰＲＯＭを持ち、各レギュレータに与えられた通電順序を保持する。ＥＥＰＲＯＭの書き換えは電源ＬＳＩのテストモードでのみ可能な構成になっている。レギュレータを制御する手段はクロック信号を供給する手段のクロックにより、カウンタを動作させ、ＥＥＰＲＯＭに格納された値と一致した所で、各レギュレータの投入を行う。
【発明の効果】
【０００９】
本発明によれば、複数種類の電圧の出力順序を任意のタイミング及び順序で指定することができ、ＬＳＩのマスクの改版を必要とすることなく、機器設計後の電源投入順序の変更にも柔軟に対応することができる。また、一度指定した出力順序は記憶装置に保持され、専用の入力装置からの書き換えが可能な為、長期に渡って機器の設計変更に対応することが可能である。
【発明を実施するための最良の形態】
【００１０】
＜構成の説明＞
次に、本発明の実施形態について図面を参照して詳細に説明する。
図２は、本発明の電源ＬＳＩ２及び負荷デバイス３、４の接続図である。負荷デバイスには様々な形態があるが、本実施形態において負荷デバイス３、４はそれぞれＩ／Ｏ用電源及びコア用電源の２種の電圧を必要としていると想定している。図２ではレギュレータ２１及び２３がＩ／Ｏ用の電源であり、レギュレータ２２及び２４がコア用の電源となっている。
【００１１】
電源１は携帯機器に使用される電池等の電源である。
電源ＬＳＩ２は複数の電圧を出力する定電圧レギュレータ群２１、２２、２３、２４と、電圧検出部２５とＬＳＩテスト用のテストインターフェイス２８と、テストインターフェイス２８と接続されるＥＥＰＲＯＭ２９と、クロックジェネレータ２７と、レギュレータ制御回路３０とを有する。
【００１２】
電圧検出部２５は電源１の電圧を検出する。所定の値以上の電圧値を検出した場合には検出信号をレギュレータ制御回路３０に出力する。
テストインターフェイス２８はＥＥＰＲＯＭ２９への書き込みを可能とする。更にテストインターフェイス２８は電源ＬＳＩ２の検査にも利用され、電源ＬＳＩ２内の異常を検出する機能を有している。
【００１３】
クロックジェネレータ２７はレギュレータ制御回路３０にクロック信号を供給する。レギュレータ制御回路３０はこのクロック信号によりカウンタを動作させる。
【００１４】
ＥＥＰＲＯＭ２９はテストインターフェイス２８からのみ書き換え可能で、ＬＳＩメーカでのみ書き換えを行うことを想定している。また書き換え動作は電源ＬＳＩ２のテストモードで行われる。ＥＥＰＲＯＭ２９に格納される値（カウント値）はレギュレータ２１〜２４それぞれが電源投入される順序及び時間を示す。本実施例では電源を４系統有しているので、ＥＥＰＲＯＭ２９は４つのカウント値を記憶する領域を持つことになる。電源の系統は４以上でもよく、その場合にはカウント値の領域をそれに合わせて持つようにすればよい。ＥＥＰＲＯＭ２９に保持されるカウント値はレギュレータ制御回路３０から参照される。
ＥＥＰＲＯＭ２９は、例えば図４に示すように、レギュレータの名前と投入タイミングを組にして保持する。図４では検出信号の入力時を原点とする各レギュレータの投入時間が記入されている。
【００１５】
レギュレータ制御回路３０は、カウンタ、比較器及びスイッチの機能を有している。まず電圧検出部２５から入力された検出信号を基準タイミングとし、クロックジェネレータ２７のクロックを参照してカウンタを動作させる。次にＥＥＰＲＯＭ２９に格納されている値とカウント値とを比較し、一致する値がある場合に該当する定電圧レギュレータ２１〜２４に順次通電する。
【００１６】
＜動作の説明＞
次に図２のブロック図、図４のタイミング図及び図５のフローチャートを用いて本電源ＬＳＩの電源投入順序の制御について説明する。
電池装着等で電池電圧が電圧検出部２５の検出電圧を超えると、電圧検出部２５の出力がＨｉｇｈになる（ステップ５０１）。
電圧検出部２５の出力を基準に、レギュレータ制御回路３０は、内蔵クロックジェネレータ２７のクロックによりカウントを開始する（ステップ５０２）。
カウント値とＥＥＰＲＯＭ２９の値を比較し（ステップ５０３）、一致した場合に該当する定電圧レギュレータ２１〜２４を順次ＯＮにする（ステップ５０４）。
カウント値が最大になるまでカウントし続けるが、最大値をカウントした後はカウント動作を行わない。
この様にＥＥＰＲＯＭ２９へカウント値を設定することにより、柔軟な電源投入順序の設定を実現する事が出来る。
【００１７】
本発明の実施例では電池電圧検出からの時間をロジックのカウンタで計測しているが、ＣＲの時定数による遅延回路でも適用が可能である。
【００１８】
本発明によれば、電源投入順序をＥＥＰＲＯＭに持たせることで、ＬＳＩのマスクに手を加える事なく、装置に最適な電源投入順序を設定することが出来る。
【産業上の利用可能性】
【００１９】
本発明の利用分野として複数の電源を内蔵し、電源制御を行うＬＳＩにも適用が可能である。
【図面の簡単な説明】
【００２０】
【図１】従来の電源ＬＳＩの構成を示す図である。
【図２】本実施例における電源投入制御回路の構成を示す図である。
【図３】クロックジェネレータに基づくカウント値とレギュレータ投入の関係を示す図である。
【図４】ＥＥＰＲＯＭで保持されるレギュレータの投入タイミングを示す図である。
【図５】本実施例における電源投入制御回路の動作を示すフロー図である。
【符号の説明】
【００２１】
２    電源ＬＳＩ
２５    電圧検出部
２７    クロックジェネレータ
２８    テストインターフェイス
２９    ＥＥＰＲＯＭ
３０    レギュレータ制御回路
【図１】
2006204013.tif 000003
【図２】
2006204013.tif 000004
【図３】
2006204013.tif 000005
【図４】
2006204013.tif 000006
【図５】
2006204013.tif 000007